(57)【要約】【課題】座部の下面近傍に安全装置作動用の検知部材を備えながらも、足載せ台を前後方向移動自在に設けることができて、大腿部の圧迫や足の振れを軽減可能であり、しかも、美観に優れた電動昇降椅子を提供する。【解決手段】電動にて昇降自在に設けられた座部１と、座部１の下面近傍に座部１の作動を緊急停止させるための安全装置作動用の検知部材２と、を備えた電動昇降椅子であって、足載せ台３と、足載せ台３を前後方向移動自在かつ左右水平状軸心廻りに揺動自在に保持する展開機構とを、座部１の前端面１ａに開口する内部空間10に収納自在としたものである。【選択図】図１
2018064733.tif 000002
【特許請求の範囲】
【請求項１】
電動にて昇降自在に設けられた座部（１）と、該座部（１）の下面近傍に該座部（１）の作動を緊急停止させるための安全装置作動用の検知部材（２）と、を備えた電動昇降椅子に於て、
足載せ台（３）と、該足載せ台（３）を前後方向移動自在かつ左右水平状軸心廻りに揺動自在に保持する展開機構（５）とを、上記座部（１）の前端面（１ａ）に開口する内部空間（10）に収納自在としたことを特徴とする電動昇降椅子。
【請求項２】
上記展開機構（５）は、上記内部空間（10）の左右両側に配設され前後伸縮自在な一対のスライドレール（６）（６）と、該スライドレール（６）の先端部（６ａ）に左右水平状の第１軸心（Ｌ１）廻りに揺動自在に取着され上記スライドレール（６）に対して平行状の収納姿勢と上記スライドレール（６）に対して前方上傾状の揺動展開完了姿勢とに切換え自在な第１揺動部材（71）と、該第１揺動部材（71）の先端部（71ａ）に左右水平状の第２軸心（Ｌ２）廻りに揺動自在に枢結されると共に上記足載せ台（３）が固着された第２揺動部材（72）と、上記第１揺動部材（71）に対する上記第２揺動部材（72）の揺動位置を複数段で保持可能として上記第１揺動部材（71）と上記第２揺動部材（72）の枢結部（73）に設けられた角度調整手段と、を備えた請求項１記載の電動昇降椅子。
【請求項３】
上記第１揺動部材（71）が上記第１軸心（Ｌ１）廻りに揺動すると共に上記第２揺動部材（72）が上記第２軸心（Ｌ２）廻りに揺動して、上記足載せ台（３）が左右一対の上記スライドレール（６）（６）の間に配設される収納姿勢と、伸長した上記スライドレール（６）の先端部（６ａ）よりも上記足載せ台（３）の載置面（３ｅ）が上方位置に配設される展開姿勢と、に切換え自在に設けた請求項２記載の電動昇降椅子。
【発明の詳細な説明】
【技術分野】
【０００１】
本発明は、電動昇降椅子に関する。
【背景技術】
【０００２】
従来、電動にて昇降自在に設けられた座部を有する電動昇降椅子は、座部を降下させる際や、座部を後方下傾姿勢から水平状姿勢に復帰揺動させる際に、座部の下方位置に、物や着席者の足部が存在すると危険であるため、座部の下面近傍に座部の作動を緊急停止させるための安全装置作動用の検知部材を備えたものが公知である（例えば、特許文献１参照）。
【先行技術文献】
【特許文献】
【０００３】
【特許文献１】特開２００５−９５４９０号公報
【発明の概要】
【発明が解決しようとする課題】
【０００４】
しかし、従来の電動昇降椅子は、図16に示すように、座部91が上昇や後方下傾状に作動すると、人体の膝下部位（下腿部乃至足部）の自重によって大腿部が下方へ引き寄せられ、座面91ｅに大腿部の裏面が押圧されて圧迫される。特に、身体弱者においては、血流が悪くなって、うっ血の原因になるという問題があった。また、足部が振れて着席者の姿勢が安定しないといった問題があった。
そこで、足載せ台（フットレスト）を設けることが考えられるが、座部91の下面近傍には、安全装置作動用の検知部材92があるため座部91の下面側に足載せ台を前後方向移動自在に設けることができないといった問題があった。
また、仮に、座部91の下面近傍に前後方向移動自在な足載せ台を設け、その足載せ台の下方位置に検知部材92を設けると、座部91の下面側に多数の部材が必要となって嵩張り、座部91を座イスのように床面Ｇに接近させることができなくなるといった問題や美観を損ねるといった問題があった。
【０００５】
そこで、本発明は、座部の下面近傍に安全装置作動用の検知部材を備えながらも、足載せ台を前後方向移動自在に設けて、着席者の大腿部の圧迫や、着席者の足部の振れを軽減し、しかも、美観に優れた電動昇降椅子の提供を目的とする。
【課題を解決するための手段】
【０００６】
上記目的を達成するために、本発明の電動昇降椅子は、電動にて昇降自在に設けられた座部と、該座部の下面近傍に該座部の作動を緊急停止させるための安全装置作動用の検知部材と、を備えた電動昇降椅子に於て、足載せ台と、該足載せ台を前後方向移動自在かつ左右水平状軸心廻りに揺動自在に保持する展開機構とを、上記座部の前端面に開口する内部空間に収納自在としたものである。
また、上記展開機構は、上記内部空間の左右両側に配設され前後伸縮自在な一対のスライドレールと、該スライドレールの先端部に左右水平状の第１軸心廻りに揺動自在に取着され上記スライドレールに対して平行状の収納姿勢と上記スライドレールに対して前方上傾状の揺動展開完了姿勢とに切換え自在な第１揺動部材と、該第１揺動部材の先端部に左右水平状の第２軸心廻りに揺動自在に枢結されると共に上記足載せ台が固着された第２揺動部材と、上記第１揺動部材に対する上記第２揺動部材の揺動位置を複数段で保持可能として上記第１揺動部材と上記第２揺動部材の枢結部に設けられた角度調整手段と、を備えたものである。
また、上記第１揺動部材が上記第１軸心廻りに揺動すると共に上記第２揺動部材が上記第２軸心廻りに揺動して、上記足載せ台が左右一対の上記スライドレールの間に配設される収納姿勢と、伸長した上記スライドレールの先端部よりも上記足載せ台の載置面が上方位置に配設される展開姿勢と、に切換え自在に設けたものである。
【発明の効果】
【０００７】
座部の下面近傍に安全装置作動用の検知部材を備えながらも、足載せ台を前後方向移動自在に設けることができる。座部を上方位置や後方下傾状姿勢にしても、足載せ台を用いて、着席者の大腿部の裏へかかる圧迫を軽減し、血流を悪化させることなく、長時間の着席が可能となる。また、足のふらつきを軽減して着席姿勢を安定させることができる。また、座部の下面側に足載せ台を設けるための部材が不要で、座部の下面側を簡素化でき、座部を（座イスのように）床面に接近させて配置することができる。また、足載せ台を不使用の場合は、座部の内部に収納され美観に優れると共に、電動昇降椅子全体をコンパクトに収納・搬送できる。
【図面の簡単な説明】
【０００８】
【図１】本発明の電動昇降椅子の実施の一形態を示す側面図である。
【図２】足載せ台収納状態の斜視図である。
【図３】足載せ台収納状態の座部の要部断面平面図である。
【図４】足載せ台収納状態の座部の要部拡大正面図である。
【図５】図３のＡ−Ａ端面図である。
【図６】スライドレール伸長状態の要部断面平面図である。
【図７】スライドレール伸長状態の要部側面図である。
【図８】第１揺動部材の展開完了状態の要部側面図である。
【図９】第２揺動部材の揺動を説明するための要部側面図である。
【図１０】足載せ台の引き出し展開完了状態の一例を示す要部側面図である。
【図１１】足載せ台の引き出し展開完了状態の一例を示す要部断面平面図である。
【図１２】足載せ台の引き出し展開完了状態の一例を示す斜視図である。
【図１３】足載せ台の使用状態の一例を示す側面図である。
【図１４】足載せ台の使用状態の他例を示す側面図である。
【図１５】アンカーサポートを説明するための要部断面側面図である。
【図１６】従来技術の問題点を説明するための側面図である。
【発明を実施するための形態】
【０００９】
以下、図示の実施形態に基づき本発明を詳説する。
本発明に係る電動昇降椅子は、図１及び図２に示すように、座部１と、背もたれ部11と、左右一対の肘掛部12，12と、床設置枠13と、床設置枠13から立設される左右一対の昇降用レール部と、を有している。
【００１０】
座部１の下面近傍に、座部１の作動を緊急停止させるための安全装置作動用の検知部材２を備えている。
安全装置は、座部１の下面を床面Ｇへ接近させるような作動（座部１の降下作動や、後方下傾姿勢から水平状姿勢の復帰揺動等の作動）を行った際に、座部１と床面Ｇの間で、物や着席者の足部等が挟まれるのを防止するためのものである。
検知部材２は、座部１の下方位置に、物や着席者の足部等が存在するか否かを検知するためのものであって、座部１を下方から支持する座部支持フレーム20に揺動自在に取着され、物や着席者の足部等に接触して下方から押し上げ揺動されると、安全装置作動用のリミットスイッチを作動させるように設けている。
安全装置は、リミットスイッチからの検知信号によって、昇降用アクチュエータや傾動用アクチュエータの作動を緊急停止させるように設けている。
【００１１】
また、座部１及び背もたれ部11を上下動させる昇降機構（機能）と、背もたれ部11のみを後方へ傾倒させるリクライニング機構（機能）と、背もたれ部11を後方へ傾倒すると共に座部１を後方下傾状に揺動させるチルト機能（機構）と、を備えている。
【００１２】
そして、図２乃至図５に示すように、座部１の前端面１ａに開口する内部空間10に、足載せ台３と、足載せ台３を前後方向移動自在かつ左右水平状軸心廻りに揺動自在に保持する展開機構５とを、収納自在に設けている。
【００１３】
展開機構５は、座部１の内部空間10の左右両側に配設され前後伸縮自在な左右一対のスライドレール６，６と、スライドレール６の先端部６ａに左右水平状の第１軸心Ｌ１廻りに揺動自在に取着される第１揺動部材71と、第１揺動部材71の先端部71ａに左右水平状の第２軸心Ｌ２廻りに揺動自在に基端部72ｂが枢結される第２揺動部材72と、第１揺動部材71と第２揺動部材72の枢結部73に設けられ第１揺動部材71に対する第２揺動部材72の揺動位置を複数段で保持可能な角度調整手段と、を備えている。
【００１４】
スライドレール６は、側面視帯状であって、内部空間10の左右両側に配設された固定部材19に前後方向に沿って固着された横断面コの字状のガイドレール61と、ガイドレール61に前後方向スライド自在に保持されているスライダ部材62と、を備えている。
スライドレール６は、ガイドレール61に対してスライダ部材62が前後方向にスライド移動することで、前後方向直線状に伸縮自在としている。
【００１５】
スライダ部材62は、ガイドレール61に保持された複数の鋼球によって（介して）前後方向スライド自在に設けられた横断面コの字状の移動レール65と、移動レール65に前後方向に沿って固着された帯板状の取付片66と、を備えている。そして、取付片66の前端部66ａを移動レール65よりも前方位置に配設して、スライドレール６の先端部６ａとしている。
また、スライダ部材62（取付片66）は、下側縁部から左右内方に突出する板状のストッパ片部66ｄを有している。
【００１６】
第１揺動部材71は、側面視帯状であって、スライドレール６よりも左右内方位置に配設され、先端部71ａが第２揺動部材72に枢結され、中間部71ｃがスライドレール６の先端部６ａに枢結され、基端部71ｂに左右外方突出状の当り部71ｄを有している。
【００１７】
第１揺動部材71は、ストッパ片部66ｄによって、先端部71ａが第１軸心Ｌ１廻りに下方へ揺動するのが規制されて、第１揺動部材71の長手方向がスライドレール６の長手方向と平行状に配設され、かつ、基端部71ｂが前方側（先端部71ａが後方側）に配設されて、側面視で、第１揺動部材71とスライドレール６の上下位置が略一致する（側面視で重なる）収納姿勢に保持される。
【００１８】
また、第１揺動部材71は、左右一対に設けられ、左右一方の第１揺動部材71の中間部71ｃと、左右他方の第１揺動部材71の中間部71ｃとを、１本の連結枢支軸76にて、左右方向に連結している。
そして、各中間部71ｃから左右外方に突出する連結枢支軸76の端部を、スライダ部材62に挿通させて、第１揺動部材71とスライダ部材62とを枢着している。
このように、連結枢支軸76を設けることで、左右一対のスライドレール６，６の先端部６ａ，６ａを連結して、前後方向の伸縮を同期させることができる。つまり、スライダ部材62のスムーズな引き出し・収納を実現できる。
【００１９】
また、第１揺動部材71は、左右一方の第１揺動部材71の基端部71ｂと、左右他方の第１揺動部材71の基端部71ｂと、を１本の連結杆77にて左右方向に連結している。
そして、各基端部71ｂから左右外方に突出する連結杆77の端部に円筒状部材を外嵌状に取着して、当り部71ｄを形成している。
このように連結杆77を設けることで、左右の第１揺動部材71，71の揺動が同期して、左右で同じ姿勢に保持される。
また、連結杆77は、足載せ台３の座部収納状態において、内部空間10の開口部近傍（スライドレール６の先端部６ａよりも前方位置）に配設され、スライドレール６を伸縮操作する（スライダ部材62を引き出し・収納する）ための把持部となる。
【００２０】
第２揺動部材72は、側面視帯状であって、スライドレール６及び第１揺動部材71よりも左右内方位置に配設され、基端部72ｂが第１揺動部材71に枢結されている。そして、左右内方側面に横断面Ｌ字状の取着部材74を介して足載せ台３の左右側縁部が固着されている。
第２揺動部材72は、左右一対に設けている。つまり、足載せ台３は、左右一対の第２揺動部材72，72の間に配設され、第２軸心Ｌ２廻りに揺動自在に設けられている。
【００２１】
そして、第２揺動部材72は、角度調整手段によって、左右一対のスライドレール６，６の間で、第２揺動部材72の長手方向がスライドレール６の長手方向と平行状に配設され、かつ、基端部72ｂが前方側（先端部が後方側）に配設されて、側面視で、第２揺動部材72とスライドレール６の上下位置が略一致する（側面視で重なる）収納姿勢に保持される。
言い換えると、第２揺動部材72は、角度調整手段によって、側面視で第１揺動部材71と一文字状（一直線状）に配設される（第１揺動部材71と第２揺動部材72との間の揺動角度θが略１８０度に配設される）収納姿勢に保持される。
【００２２】
そして、第２揺動部材72の収納姿勢において、足載せ台３は、左右一対のガイドレール６，６の間で、載置面３ｅが下方を向いて、座部１と平行面状に配設され、かつ、先端縁部（使用状態前縁部）３ａが後方側に配設され、スライドレール６の上下位置と略一致する（側面視で重なる）収納姿勢に保持される。
【００２３】
第１揺動部材71と第２揺動部材72の枢結部73に設けた角度調整手段は、側面視で第１揺動部材71に対する第２揺動部材72の揺動角度θが調整自在で、所望の揺動位置（揺動角度θ）で、第２揺動部材72を保持（ロック）可能であり、かつ、所定の操作によって第２揺動部材72の保持（ロック）を解除可能である。
図示省略するが、例えば、第２軸心Ｌ２廻りに配設した複数の歯を有するギヤ部と、ギヤ部に係止する揺動自在な爪部材と、を備えた揺動爪型のラチェット手段や、ギヤ部と、くさび型窓部（空間部）と、浮動くさび部材と、を備えた浮動くさび型のラチェット手段等、公知の手段（機構）である。
【００２４】
図６及び図７に示すように、スライドレール６が前方へ所定ストローク伸長すると（内部空間10からスライダ部材62が前方へ引き出されると）ガイドレール61及びスライダ部材62に設けた図示省略のノッチ型係合部が係合して、スライダ部材62が所定の引き出し位置で停止保持される。また、引き出し後に、スライダ部材62に所定の後方押圧力を付与すると係合が解除され、内部空間10内に収納される。
【００２５】
図８に示すように、第１揺動部材71は、収納姿勢から先端部71ａが前方かつ上方へ揺動展開されて（引き出されて）、スライドレール６に対して前方上傾状となった所定の揺動位置で、基端部71ｂに設けた当り部71ｄがスライドレール６（取付片66）の下側縁部に当接して揺動が阻止され前方上傾状の揺動展開完了姿勢に保持される。
つまり、第１揺動部材71は、スライドレール６（スライダ部材62）に対して平行状の収納姿勢と、（水平状基準姿勢の）スライドレール６（スライダ部材62）に対して前方上傾状の揺動展開完了姿勢と、の二位置に切換え自在に設けている。
【００２６】
図８に於て、第２揺動部材72は、角度調整手段によって、側面視で第１揺動部材71と一文字状に保持されるため、前方上傾状姿勢に保持される。また、足載せ台３は、載置面３ｅが後方を向いた前方上傾状（後方下傾状）姿勢に保持される。
【００２７】
そして、図９及び図10に示すように、第２揺動部材72を、第２軸心Ｌ２廻りに揺動させると、角度調整手段によって、足載せ台３は所望の揺動位置に保持される。
角度調整手段は、座部１の座面１ｅが水平面状、かつ、第１揺動部材71が揺動展開完了姿勢の場合に、載置面３ｅ（足載せ台３の基準面）を、水平面状と、前方下傾状と、前方上傾状に切換え自在に設けている。
角度調整手段は、揺動角度θが、少なくとも８０度以上１８０度以下の範囲で複数段に停止保持可能なものが望ましい。
【００２８】
このように、第１揺動部材71を第１軸心Ｌ１廻りに揺動させ、第１軸心Ｌ１よりも上方位置に第２軸心Ｌ２を配設させ、その後、第２軸心Ｌ２廻りに足載せ台３を揺動させる２段（２軸）揺動としているため、スライドレール６の先端部６ａよりも足載せ台３の載置面３ｅを上方位置に配設した展開姿勢にすることが可能である。
【００２９】
しかも、図10に示すように、座面１ｅが水平面状の基準状態において、座部１の座面１ｅと、足載せ台３の載置面３ｅとを、平行面状に配設した場合に、載置面３ｅが座面１ｅよりも上方位置となるように、第１揺動部材71を設けている。
【００３０】
また、図10乃至図12に示す足載せ台３の引き出し展開完了状態において、足載せ台３の先端縁部（使用状態前縁部）３ａが、スライドレール６の先端部６ａよりも前方位置に配設される。つまり、一対のスライドレール６，６の間に直接的に（第１・第２揺動部材71，72を介さずに）、足載せ台３を固着した比較例（図示省略）の場合に比べて、前方側へ（遠くへ）配置させることができる。
言い換えると、足載せ台３の前方配設位置を上記比較例と同じにすると、スライドレール６（スライダ部材62の移動ストローク）を短くできると共に、座部１の内部空間10を小さくできる。
【００３１】
そして、図13に示すように、足載せ台３によって膝下部位（下腿部乃至足部）を下方から支持できるため、座部１が上昇や後方下傾状に作動しても、膝下部位の自重によって大腿部が下方へ引き寄せられることがなく、座面１ｅに大腿部の裏面が圧迫されず、着席者が長時間にわたって快適に着席できる。
【００３２】
ここで、図14に、背もたれ部11を後方へ傾倒すると共に座部１を後方下傾状に揺動させるチルト作動を行った後傾チルト姿勢の場合を示す。二点鎖線の人体の脚部（大腿部乃至足部）は、足載せ台３を用いていない場合を図示している。
このようなチルト姿勢では、着席者の臀部は背もたれ部11と座部１の間の隅部に深く腰掛けられるため、二点鎖線で示す着席者の脚部は、座部１に、膝裏近傍部位が、圧迫されるという問題があるが、実線で示すように、足載せ台３を用いることで、大腿部及び下腿部や膝裏部の圧迫を防止できる。つまり、足載せ台３は、このようなチルト姿勢の際に特に有効である。
【００３３】
また、角度調整手段により足載せ台３の載置面３ｅを、座部１の座面１ｅと異なる角度（姿勢）に切り換えることができる。
例えば、図14のように、座面１ｅが後方下傾状でありながらも、載置面３ｅを水平状乃至前方下傾状とすることが可能となり、着席者の好みや、着席者の膝部に負担が少ない安楽姿勢にできる。
【００３４】
また、図１に示すように、足載せ台３及び展開機構５（図１に於て図示省略）は、座部１内に収納できるので、座部１の下面近傍に安全装置作動用の検知部材２を設けることが可能となる。仮に、座部１の下面近傍に足載せ台３及び展開機構５を設け、その足載せ台３の下方位置に検知部材２を設けた場合に比べて、座部１の下面側が簡素で（多数の部材が必要無く）、図２に示すように、座部１を床面Ｇに接近させて低位置に配設でき、座イスのように使用することも可能となる。
【００３５】
さらに、足載せ台３を左右水平状軸心（第１軸心Ｌ１及び第２軸心Ｌ２）廻りに揺動させて足載せ台３を座部１の内部前側部位に収納できるため、図15に示すように、座部１のクッション部50の厚み寸法を前側部位よりも後側部位を厚く形成できる。
つまり、足載せ台３に対応する内部空間10の上方位置に、発泡樹脂等の薄肉クッション部51を設け、収納した足載せ台３（足載せ台３が対応する内部空間10）の後方位置に、発泡樹脂等の肉厚クッション部52を設けている。
このように、クッション部50を設けることで、着席者の臀部（坐骨）に対応するクッション部50の後側部位が前側部位よりも、圧縮変形して、深く沈み込み、段差部を形成して、坐骨が前方へ滑りだすのを防止するアンカーサポート作用（効果）が得られる。
【００３６】
なお、本発明は、設計変更可能であって、展開機構５は、第２揺動部材72及び角度調整手段を省略して、第１揺動部材71に足載せ台３を取着した構成とするも良い。全体形状（椅子の種類）は自由であって、座イス型に限らず、１本又は複数本の支持脚部をもったものとするも良い。チルト機構やリクライニング機構を備えなくとも良い。ストッパ片部66ｄは、図例では、枢結部73の保護カバーに当接して揺動を規制しているが、第１揺動部材71に当接するように設けるも良い。第２揺動部材72と足載せ台３とは、取着部材74を省略して、直接的に固着するも良い。
なお、本発明に於て、「足載せ台」の「足」は、人体の起立状態における膝部よりも下方の膝下部位を意味する。つまり、足載せ台３は、載置面３ｅに、着席者の下腿部乃至足部（脹脛部、足首部、踵部、つま先部）が載置されるものである。
【００３７】
以上のように、本発明の電動昇降椅子は、電動にて昇降自在に設けられた座部１と、座部１の下面近傍に座部１の作動を緊急停止させるための安全装置作動用の検知部材２と、を備えた電動昇降椅子に於て、足載せ台３と、足載せ台３を前後方向移動自在かつ左右水平状軸心廻りに揺動自在に保持する展開機構５とを、座部１の前端面１ａに開口する内部空間10に収納自在としたので、座部１の下面近傍に安全装置作動用の検知部材２を備えながらも、足載せ台３を前後方向移動自在に設けることができる。足載せ台３によって、着席者の大腿部の裏へかかる圧迫を軽減し、長時間の着席が可能となる。また、足のふらつきを軽減して着席姿勢を安定させることができる。言い換えると、座部１の下面近傍に足載せ台３を設けるための部材が不要で、座部１の下面側を簡素化でき、座部１を（座イスのように）床面Ｇに接近させて配置することができる。また、足載せ台３を不使用の場合は、座部１の内部に収納され美観に優れると共に、電動昇降椅子全体をコンパクトに収納・搬送できる。
【００３８】
また、展開機構５は、内部空間10の左右両側に配設され前後伸縮自在な一対のスライドレール６，６と、スライドレール６の先端部６ａに左右水平状の第１軸心Ｌ１廻りに揺動自在に取着されスライドレール６に対して平行状の収納姿勢とスライドレール６に対して前方上傾状の揺動展開完了姿勢とに切換え自在な第１揺動部材71と、第１揺動部材71の先端部71ａに左右水平状の第２軸心Ｌ２廻りに揺動自在に枢結されると共に足載せ台３が固着された第２揺動部材72と、第１揺動部材71に対する第２揺動部材72の揺動位置を複数段で保持可能として第１揺動部材71と第２揺動部材72の枢結部73に設けられた角度調整手段と、を備えたので、足載せ台３を座部１から十分な距離に引き出し可能としながらも、不要の際は座部１内にコンパクトに収納できる。座部１の前側部位に足載せ台３を収納でき、座部１の後側部位のクッション部50を肉厚にできる（アンカーサポート作用が得られる）。内部空間10を広く設ける必要がなく、座部１内に足載せ台３を収納可能としながらも、薄く（低く）形成できる。
【００３９】
また、第１揺動部材71が第１軸心Ｌ１廻りに揺動すると共に第２揺動部材72が第２軸心Ｌ２廻りに揺動して、足載せ台３が左右一対のスライドレール６，６の間に配設される収納姿勢と、伸長したスライドレール６の先端部６ａよりも足載せ台３の載置面３ｅが上方位置に配設される展開姿勢と、に切換え自在に設けたので、座面１ｅよりも高い位置に載置面３ｅを配設可能としながらも、座部１内に足載せ台３をコンパクトに（薄く）収納できる。着席者の大腿部の裏にかかる圧迫を確実に軽減できる。
【符号の説明】
【００４０】
１  座部
１ａ  前端面
２  検知部材
３  足載せ台
３ｅ  載置面
５  展開機構
６スライドレール
６ａ  先端部
10  内部空間
71  第１揺動部材
71ａ  先端部
72  第２揺動部材
73  枢結部
Ｌ１  第１軸心
Ｌ２  第２軸心
【図１】
2018064733.tif 000003
【図２】
2018064733.tif 000004
【図３】
2018064733.tif 000005
【図４】
2018064733.tif 000006
【図５】
2018064733.tif 000007
【図６】
2018064733.tif 000008
【図７】
2018064733.tif 000009
【図８】
2018064733.tif 000010
【図９】
2018064733.tif 000011
【図１０】
2018064733.tif 000012
【図１１】
2018064733.tif 000013
【図１２】
2018064733.tif 000014
【図１３】
2018064733.tif 000015
【図１４】
2018064733.tif 000016
【図１５】
2018064733.tif 000017
【図１６】
2018064733.tif 000018